(57)【要約】      （修正有）【課題】品質や味覚が秀れているにも関わらず、萼窪がわ付近の果皮に色斑があるという理由だけで悉く買い控えられていたような果実であっても、こうした色斑に気をとられずに一般消費者が安心して購入することができるようになる果実用の新たな包装容器を提供する。【解決手段】容器本体２と蓋体３との間に、横倒し状態の果実６，６，……複数個が、夫々の萼窪６０，６０，……がわを該容器本体２の平面形中心位置Ｃまたはその近傍に向けて花弁状配列と視認し得るよう収納可能とし、当該蓋体３には、その雄しべ相当部分から、各果実６，６，……萼窪６０，６０，……がわ所定範囲部分までの範囲を隠蔽状とし得る性状の情報開示部７を形成して包装容器１を構成する。【選択図】図４
0003154229.tif 000002
【実用新案登録請求の範囲】
【請求項１】
少なくとも蓋体を透明樹脂製とした上蓋付きの容器本体で、該容器本体および蓋体、または何れか一方には、一個の果実を横倒し姿勢に安定収納するに相応しい形状、大きさを有し、それらの複数個が、夫々果実萼窪がわを容器本体の平面形中心位置またはその近傍に向かう放射状配置に配列形成され、少なくとも蓋体を通して当該容器本体内に収納した横倒し状態の果実複数個が花弁状配列として視認し得るものとした上、同容器本体の平面形中心位置またはその近傍に対応する位置となる蓋体には、収納した果実の萼窪がわから少なくとも１／５から最大でも１／３の範囲までを隠蔽状とし得る性状の情報開示部を形成してなるものとしたことを特徴とする包装容器。
【請求項２】
少なくとも蓋体を透明樹脂製とした上蓋付きの容器本体で、該容器本体および蓋体、または何れか一方には、一個の果実を横倒し姿勢に安定収納するに相応しい形状、大きさを有し、それらの複数個が、夫々果実萼窪がわを容器本体の平面形中心位置またはその近傍に向かう放射状配置に配列形成され、少なくとも蓋体を通して当該容器本体内に収納した横倒し状態の果実複数個が花弁状配列として視認し得るものとした上、同容器本体の平面形中心位置またはその近傍に対応する位置となる蓋体には、収納した果実の萼窪がわから少なくとも１／５から最大でも１／３の範囲までを隠蔽状とし得る性状の情報開示部を形成し、収納した果実萼窪がわ所定範囲部分に形成した当該情報開示部を花心相当部分、その周りに覗く、果実萼窪がわ所定範囲部分以外の果実個々の部分を花弁が整列する花冠相当部分に見立てられるようにしてなるものとしたことを特徴とする包装容器。
【請求項３】
少なくとも蓋体を透明樹脂製とした上蓋付きの容器本体で、該容器本体および蓋体、または何れか一方には、一個の果実を横倒し姿勢に安定収納するに相応しい形状、大きさを有し、それらの複数個が、夫々果実萼窪がわを容器本体の平面形中心位置またはその近傍に向かう放射状配置に配列形成され、少なくとも蓋体を通して当該容器本体内に収納した横倒し状態の果実複数個が花弁状配列として視認し得るものとした上、同容器本体の平面形中心位置またはその近傍に対応する位置となる蓋体には、収納した果実の萼窪がわから少なくとも１／５から最大でも１／３の範囲までを隠蔽状とし得る性状の正多角形状または円形状のラベル貼付か、あるいは直接印刷かの何れか一方からなる情報開示部を形成してなるものとしたことを特徴とする包装容器。
【考案の詳細な説明】
【技術分野】
【０００１】
この考案は、商品の包装に関するものであり、透明樹脂を用いた包装容器を製造する分野は勿論のこと、包装容器を用いた食品、その外の商品の包装方法、および包装済み製品のの輸送、保管、陳列、展示、販売に必要となる搬送装置、包装装置、什器などの組み立て、設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                            
【背景技術】
【０００２】
（着目点）
スーパーマーケットや八百屋で販売される林檎や梨、トマト、蜜柑、柿、メロンなどの青果物類は、一般に籠に山積みされるか、または積み重ねずに並べられるかして１個ずつバラ売りされているか、あるいは、複数個ずつ透明樹脂製の袋やパックに纏められて店頭に陳列されており、消費者は陳列された果実類の色や艶、形などの外観を確かめ、商品を手に取ったりしながら品定めしている。
【０００３】
特に林檎を購入する場合には、その大多数の消費者が、果皮全体が斑無く赤くなっているものがよく熟していて美味しいというイメージを持っていて、果実の萼窪がわまで赤いものを優先的に選択、購入しているというのが実情となっており、斑があったり萼窪がわ付近の色づきが悪い林檎は売れ残ってしまうという状況にあるものの、生産者の立場からすると、果樹の果実周辺の葉を摘み取って（つまり、果実全体に日光が当たって赤くなるよう摘み取って）果実全体に太陽光を受けるようにして真っ赤に色付かせた林檎よりも、果実近傍の葉をそのままにし、多くの太陽光を受けてよく光合成した葉からの養分を十分に吸収し得るようにした果実（結果、葉を摘んでいないために色斑が出易い。）の方が、成分的には良く熟していて蜜も入り美味しく、果実本来の価値からすれば勿体ない現象ということになる。
【０００４】
（従来の技術）
こうした事実を承知しながらも、消費者の傾向を無視する訳にはいかず、このような消費者の需要を受入れるようにして、これまで店頭に陳列販売するために開発、提案されている果実用パックとしては、例えば、後記する特許文献１（１）に掲載されている発明のように、透明な合成樹脂シートからなる前面パネルと後面パネルとを接合手段により係脱可能としたパックであって、前記前面および後面パネルには、これらのパネルの間に商品を収納できるように、商品の外形状に合わせて夫々外がわへ膨出させて収納部を形成し、前記パックの上部に凹状の把手部を形成とすると共に、同パックの下端部にパックを直立させるためのスタンド台を形成したものとし、縦型の陳列によってスペース効率を高め、取扱いを容易にするという効果を得た「陳列パック」や、同特許文献１（２）に示されている「包装球形青果物」発明に見られるとおりの、ほぼ碗状の複数の収容部を整列した一体型容器の各収容部に林檎を個別に収容した状態で、透明性合成樹脂フィルムとして熱収縮性フィルムを用い、シュリンク包装で被包して収容部の底部に透孔又は膨出部を形成し、一体型容器の周縁において収容部の間に内方に向けて切欠部を形成してなるものとし、果実同士の緩衝を防止すると共に、林檎の萼窪がわ部分を積極的に露出状として、色付き具合を確認、容易にしているものなどが散見される。
【０００５】
しかし、前者の陳列パックなどのようなものは、林檎の包装に利用した場合、果実の萼窪がわ付近を含む全体を透視できるようにすることが前提となっており、何ら従前からのものと大差はなく、消費者の目は果皮の色斑の有る無しに着目した品定めを誘引してしまうことに変わりはなく、また、後者の包装球形青果物に代表されるようなものも、やはり果実の萼窪がわ付近の色付き具合に注目した果実選びを優先していて、従来からの消費者ニーズに応えているに過ぎず、成分上の真の意味において美味しい林檎を選択できるよう工夫したものになってはいないという点で、改善の痕は見受けられないと言わざるを得ないものである。                                                                                      
【特許文献１】（１）特開２００１−３９４８０号公報    （２）特開平９−２８６４７７号公報
【考案の開示】
【考案が解決しようとする課題】
【０００６】
（問題意識）
上述したとおり、従前までに提案のある果実用の各種容器類は、何れも果実全体の品質を確認できるという点において有益なものといえるが、果実の萼窪がわの色付き具合に注目した品定めを招くものとなり易く、本来は栄養豊富で味覚にも秀れた林檎が、果皮の色付きという判断基準によって買い控えられてしまうという不合理な状況を打開できるものではなく、林檎の萼窪がわの色付き具合を気にせずに購入できるよう包装可能とする技術については未だ存在しないという状況にある。
【０００７】
（考案の目的）
そこで、この考案は、品質や味覚が秀れているにも関わらず、萼窪がわ付近の果皮に色斑があるような果実であっても、こうした色斑に気をとられずに美味しい果実を購入することができる新たな包装技術の開発はできないものかとの判断から、逸速くその開発、研究に着手し、長期に渡る試行錯誤と幾多の試作、実験とを繰り返してきた結果、今回、遂に新規な構造の包装容器を実現化することに成功したものであり、以下では、図面に示すこの考案を代表する実施例と共に、その構成を詳述することとする。                                        
【課題を解決するための手段】
【０００８】
（考案の構成）
図面に示すこの考案を代表する実施例からも明確に理解されるように、この考案の包装容器は、基本的に次のような構成から成り立っている。
即ち、少なくとも蓋体を透明樹脂製とした上蓋付きの容器本体で、該容器本体および蓋体、または何れか一方には、一個の果実を横倒し姿勢に安定収納するに相応しい形状、大きさを有し、それらの複数個が、夫々果実萼窪がわを容器本体の平面形中心位置またはその近傍に向かう放射状配置に配列形成され、少なくとも蓋体を通して当該容器本体内に収納した横倒し状態の果実複数個が花弁状配列として視認し得るものとした上、同容器本体の平面形中心位置またはその近傍に対応する位置となる蓋体には、収納した果実の萼窪がわから少なくとも１／５から最大でも１／３の範囲までを隠蔽状とし得る性状の情報開示部を形成してなるものとした構成を要旨とする包装容器である。
【０００９】
この基本的な構成を換言して示すと、少なくとも蓋体を透明樹脂製とした上蓋付きの容器本体で、該容器本体および蓋体、または何れか一方には、一個の果実を横倒し姿勢に安定収納するに相応しい形状、大きさを有し、それらの複数個が、夫々果実萼窪がわを容器本体の平面形中心位置またはその近傍に向かう放射状配置に配列形成され、少なくとも蓋体を通して当該容器本体内に収納した横倒し状態の果実複数個が花弁状配列として視認し得るものとした上、同容器本体の平面形中心位置またはその近傍に対応する位置となる蓋体には、収納した果実の萼窪がわから少なくとも１／５から最大でも１／３の範囲までを隠蔽状とし得る性状の情報開示部を形成し、収納した果実萼窪がわ所定範囲部分に形成した当該情報開示部を花心相当部分、その周りに覗く、果実萼窪がわ所定範囲部分以外の果実個々の部分を花弁が整列する花冠相当部分に見立てられるようにしてなるものとした構成を要旨とする包装容器となる。
【００１０】
より具体的には、少なくとも蓋体を透明樹脂製とした上蓋付きの容器本体で、該容器本体および蓋体、または何れか一方には、一個の果実を横倒し姿勢に安定収納するに相応しい形状、大きさを有し、それらの複数個が、夫々果実萼窪がわを容器本体の平面形中心位置またはその近傍に向かう放射状配置に配列形成され、少なくとも蓋体を通して当該容器本体内に収納した横倒し状態の果実複数個が花弁状配列として視認し得るものとした上、同容器本体の平面形中心位置またはその近傍に対応する位置となる蓋体には、収納した果実の萼窪がわから少なくとも１／５から最大でも１／３の範囲までを隠蔽状とし得る性状の正多角形状または円形状のラベル貼付か、あるいは直接印刷かの何れか一方からなる情報開示部を形成してなるものとした構成からなる包装容器となる。                                          
【考案の効果】
【００１１】
以上のとおり、この考案の包装容器によれば、従前までは、果実の萼窪がわ周辺を含む全体を透視可能としたものや、不透明な素材製のもので果実の萼窪がわ付近用の覗き窓を開口したものなどとし、実際には果皮に色斑のある林檎のほうが品質の上で秀れているにも拘らず、どうしても果実の品質を萼窪がわ周辺の果皮の色付き具合によって判断するよう誘引するものとなっていたが、上記したとおりの形状、大きさ、材質に加え、横倒し状態の果実複数個が、夫々の萼窪がわを容器本体の平面形中心位置またはその近傍に向けて花弁状配列と視認し得るようにし、果実を収納した状態の包装全体から受ける印象として、これまでにない花模様となる美的効果が醸し出されるよう工夫した収納とし、蓋体には、その花の雄しべ相当部分から各果実萼窪がわ所定範囲部分までの所定範囲を、その花の花心に相当するよう工夫した隠蔽状とし得る情報開示部を形成してなるものとした特別の構造に組み合わせ、容器内に収納、包装した全果実の各萼窪がわ付近が露出してしまうのを回避できるようにした上、その代わりに果実やその生産に関わる情報などを表示可能として販売の促進を図るようにし、特に表れがちな萼窪がわ付近果皮の色斑などの外見には拘泥しないで、真に成分上で高品質で、それまでのような余分な手間暇を掛けないで手頃な価格設定による林檎を消費者に届けられるようにすることができるという秀れた特徴が得られるものである。
【００１２】
加えて、蓋体に果実の萼窪がわから少なくとも１／５から最大でも１／３の範囲までだけを、上記のとおり花心に見立てて隠蔽状とし得る性状の情報開示部となし、違和感なく自然な印象による容器の一部に受け止められるよう形成する一方、包装して収納された果実の、少なくとも萼窪がわとは反対がわ２／３以上の範囲だけの、大多数の林檎の色付きが良いがわを、これまた違和感なく個々が花弁の一つ一つを構成するよう露出状に視認できるようにしたものとしてあり、それらが色付きの良い果実として安心して品定めできるようにし、延いては販売促進に貢献することに繋がり、消費者、生産者共に利することになるという効果を享受することになる。
【００１３】
また、包装する全ての果実を横倒しの状態とし、各果実の萼窪がわを容器本体の平面形中心位置またはその近傍に向かう花弁状に整列して花模様とした果実包装全体が、これまでに無い外的美観を醸し出すこととなって他の果実商品との差別化をはかり、付加価値と購買力とを格段に向上させることができる上、包装された全ての果実の萼窪がわを１つの情報開示部によって一挙に隠蔽状とし得るものとなり、製造工数の削減および生産コストの低減によって低価格に抑えた商品の提供に大いに役立つものとなる。
【００１４】
さらに、情報開示部を正多角形状または円形状のラベル貼付か、あるいは直接印刷かの何れか一方からなるものとし、花弁状に整列するようにした各果実の萼窪がわを夫々略均等な範囲分だけ隠蔽状とすることができるものとなって、均整のとれた包装を実現可能とし、様々な包装のバリエーションを展開可能とすることができるという秀れた効果を奏するものとすることができる。
【００１５】
そして、この考案の包装容器を利用した果実包装方法によれば、該容器本体および蓋体間に複数個の果実を、夫々横倒し姿勢且つ果実萼窪がわを容器本体の平面形中心位置またはその近傍に向かう花弁状配列として視認し得るよう配置するよう収容した後に施蓋状態としてから、該蓋体の当該花弁状配列、花の雄しべ相当部分に各果実の萼窪がわ所定範囲を隠蔽状とし得る性状の情報開示部としてのラベルを貼着するよう設定してあり、ラベルを変更することによって簡単に他品種の果実包装に切り替え可能となり、多品種少量生産にも自在に対応することができ、迅速且つ経済的な包装を実現化することができるという利点が得られる。
【００１６】
また、この考案の包装容器を利用し、その容器本体および蓋体間に複数個の果実を、夫々横倒し姿勢且つ果実萼窪がわを容器本体の平面形中心位置またはその近傍に向かう花弁状配列として視認し得るよう配置するよう収容した後、これら花弁状配列としたものの中心部分、即ち花心相当部分に、各果実の萼窪がわ所定範囲を隠蔽状とし得る性状の情報開示部としての印刷を施した蓋体によって施蓋状態とするようにした包装方法では、ラベルの貼着作業を不要として包装不良率を大幅に削減でき、少品種大量生産にも適した効率的な包装体制を実現化することになるという効果を奏することができる。                          
【考案を実施するための最良の形態】
【００１７】
上記したとおりの構成からなるこの考案の実施に際し、その最良もしくは望ましい形態について説明を加えることにする。
容器本体は、上蓋との組み合わせによって該容器本体および蓋体の間に、複数個の横倒し姿勢の果実を、花弁状配列として視認し得るよう整列、安定収納可能とする機能を果たすものであり、収容果実の生鮮状態を維持できるよう衛生的且つ十分な緩衝機能をもって包装可能とするものとしなければならず、より具体的には、ポリプロピレンやポリエチレン、その他の合成樹脂成型品や発泡樹脂成型品、パルプや古紙成型品、または、生分解性プラスチック製成型品など様々な素材からなるものとすることが可能であり、果実収容箇所対応箇所の一部または全部を平面状にしたものや曲面状に形成したものなどが可能であり、必要に応じて適宜緩衝材や緩衝形状部分を内蔵または一体化したものとすることなどが可能である。
【００１８】
蓋体は、容器本体との間に包装された複数の果実の夫々の所定範囲を透視可能とするよう施蓋可能とする機能を果たし、包装作業の前後何れかの段階に、必要箇所に情報開示部を表示可能なものとすると共に、果実の生鮮状態を損ねることなく施蓋可能な材質および形状からなるものとしなければならず、少なくとも果実の各収容箇所を、プラスチックや樹脂フィルム、樹脂繊維、ガラスなどからなる透明素材からなるものとしなければならず、果実の各収容箇所以外は不透明な、例えば不透明プラスチックや発泡樹脂、不透明フィルム、段ボール紙などの厚紙類からなるものとすることができ、果実収容箇所対応箇所の一部または全部を平面状か、曲面状かの何れかに形成したものとすることなどが可能であり、必要に応じて緩衝材や緩衝形状部分を設けたものとすることができる。
【００１９】
蓋体や容器本体に用いることができるプラスチックには、衛生的な包装を実現可能とする範囲内において例えば、ビスマレイミド、トリアジン、ポリエチレン、ＰＥＴ、ポリブチレンテレフタレート、ＰＰ、ポリビニルアルコール、ポリ塩化ビニル、ポリ塩化ビニリデン、ポリエーテルサルホン、メタクリル樹脂、ポリスチレン、ＡＢＳ樹脂、アクリルニトリル・アクリルゴム・スチレン樹脂、アクリルニトリル・スチレン樹脂、ポリアミド、ポリアリレート、ポリアセタール、ポリカーボネート、ポリフェニレンエーテル、ポリフェニレンサルファイド、ポリサルホン、四フッ化エチレン樹脂、ポリ三フッ化塩化エチレン、ジアリルフタレート樹脂、ポリフッ化ビニリデン、ポリ四フッ化−六フッ化エチレン、エチレン−四フッ化エチレン樹脂、四フッ化−パーフルオロアルキルビニルエーテル樹脂、フェノール樹脂、ユリア樹脂、不飽和ポリエステル樹脂、エポキシ樹脂、メラミン樹脂、シリコーン樹脂、ポリイミド、熱可塑性ポリイミド、マレイミド樹脂、マレイミド・スチレン樹脂、ポリウレタン、その他の合成樹脂を挙げることができ、表現を変えると、液晶ポリマー、熱可塑性エラストマー、熱可塑性プラスチック、熱硬化性プラスチック、強化プラスチックを利用可能であるということができる。
【００２０】
情報開示部は、包装対象となる果実商品の価格や生産に関わる情報などを表示する機能と、包装した各果実の萼窪がわ所定範囲を隠蔽状として花心部分に相当するようにした性状とを兼ね備えたものであり、不透明か、有色透明か、または、文字や絵の表示によって殆ど透視不可能な状態となし得るものであって衛生的な包装を可能とする素材からなるものとしなければならず、より具体的には、蓋体の表裏面何れかの適所に貼着可能なラベルか、または印刷部分か、あるいは蓋体と各果実適所との間に収容可能な印刷札などとすることが可能であり、プラスチックフィルム製、紙製、金属箔製など様々な素材から形成することができる。
【００２１】
また、情報開示部は、花弁状配列として視認し得るよう整列収容した各果実の萼窪がわを、少なくとも１／５から最大でも１／３の範囲まで隠蔽状とし得る性状のものとするよう設定しなければならず、１／５以下の隠蔽状態では、各果実萼窪がわ夫々の色斑範囲を十分にカバーすることができなくなってしまい、また、１／３の範囲を超えて隠蔽してしまうものでは、各果実の半分以上を隠蔽状としてしまうこととなり、確りと品定めしたいと希望する消費者ニーズに充分に答えることができなくなるという不都合を生じる虞がある。
【００２２】
この考案の基本をなす包装容器を利用した果実包装方法は、容器本体および蓋体間に複数個の果実を花弁状配列として視認し得るよう収容して施蓋した後に、蓋体の適正位置に情報開示部となるラベルを貼着するように設定しているが、予め蓋体の適正位置にラベルを貼着して置いたこの考案の包装容器に、果実を花弁状配列として視認し得るよう収容、施蓋して包装するようにしたものとすることが可能であり、また、予め蓋体の適正位置に情報開示部となる印刷部分が印刷済みの包装容器に、果実を花弁状配列として視認し得るよう収容、施蓋して包装するよう設定したものの外、この考案の包装容器に果実を花弁状配列として視認し得るよう収容、施蓋した後、蓋体の適正位置に印刷作業を行って印刷部分を表示するよう設定したものとすることが可能であり、さらにまた、包装工程中、各果実と蓋体との間であってしかも各果実萼窪がわの所定範囲におよぶ適正範囲に、情報開示部となる印刷札を同梱状に収容したものとすることができる。
以下では、図面に示すこの考案を代表する実施例と共に、その構造について詳述することとする。                                                                                                            
【実施例１】
【００２３】
図１の包装を終えた包装容器の平面図、図２の図１中のＡ−Ａ線部分の断面図、図３の開放状態の包装容器の断面図、および、図４の情報開示部を鎖線で示した包装容器の平面図に示す事例は、横倒し状態の果実６，６，……複数個が、夫々の萼窪６０，６０，……がわを容器本体２の平面形中心位置Ｃまたはその近傍に向けて花弁状配列と視認し得るよう収納可能とし、蓋体３には、その雄しべ相当部分から、各果実６，６，……萼窪６０，６０，……がわ所定範囲部分までの範囲を隠蔽状とし得る性状の情報開示部７を形成してなるものとしたこの考案の包装容器における代表的な一実施例を示すものである。
【００２４】
それら各図からも明確に把握できるとおり、この考案の包装容器１は、その全体がポリプロピレンやポリエチレンなどの透明合成樹脂成型品であって、平面形略正方形状の外周縁４辺に沿って一周する一定幅の平面枠部２０を形成し、その平面枠部２０内の対角線上に、各中心を一致するよう合計４つの、横倒し姿勢の果実６の下がわ半分を収容可能な寸法、形状に設定された半球状凹部２１，２１，……を配置、形成した容器本体２を有し、その容器本体２外周縁の１辺には、ヒンジ部４を介し、当該容器本体２に相当する平面形略正方形状の上蓋を形成するよう同一平面形状の外周縁に同一幅の平面枠部３０を形成すると共に、施蓋状態の場合に該容器本体２の各半球状凹部２１，２１，……に対峙する４箇所夫々に、横倒し姿勢の果実６の上がわ半分を収容可能な寸法、形状に設定した半球状凹部３１，３１，……を成型してなる蓋体３の対応する外周縁の一辺を一体化し、該ヒンジ部４を折り曲げて施蓋した場合に互いの平面枠部２０，３０同士が密に接合されるよう成型したものとしている。
【００２５】
また、該容器本体２および蓋体３の各平面枠部２０，３０の施蓋した場合に当該ヒンジ部４とは反対がわに位置して開閉端がわとなる各１辺接合面壁間には、これら１辺の長さに亘って均衡するよう配置されて互いに嵌合、離脱操作可能な複数個のボス穴とボスとの組み合わせからなる仮留め機構５を形成したものとし、そして、当該該容器本体２および蓋体３に形成した各半球状凹部２１，２１，……，３１，３１，……は、施蓋状態とした場合に、横倒し姿勢とした４個の林檎果実６，６，……の夫々果実萼窪６０，６０，……がわを、該容器本体２の平面形中心位置Ｃに向けた放射状配置に配列するよう安定収納可能な形状と大きさとに設定した凹欠形状（上下に膨出した形状）に成型するようにし、換言すれば４個の果実６，６，……が同一平面上に花弁状配列として視認し得るよう整列、収容可能な形状に設定してある。
【００２６】
さらに、該蓋体３の施蓋状態の場合に該容器本体２の平面形中心位置Ｃに相当する中央から、各半球状凹部２１，２１，……，３１，３１，……間に収容される果実５，５，……の、該平面形中心位置Ｃに向けられた萼窪５０，５０，……がわから少なくとも１／５から最大でも１／３の範囲まで達する範囲に相当する範囲には、それと同等の直径に設定された真円形状であって表面に、林檎の品種名や価格、生産者情報などを記載した情報開示部である粘着シール製のラベル７を貼着し、組み合わせたものとする。
また、ヒンジ部４は、上述したように容器本体２と蓋体３とを一体に連続したものの外、容器本体２と蓋体３とを着脱自在に連結可能なものとすることが可能であり、仮留め機構５は、上述のボスとボス穴との組み合わせからなるものの外、鈎爪をスリットに差し込む形態のものや熔着による結合や、粘着テープによる貼着、ステープラによる固着など様々な施蓋構造が可能である。                                                                                              
【実施例２】
【００２７】
図５の５個の果実を収納した包装容器の平面図、および図６の情報開示部を鎖線で表した包装容器の平面図に示す事例のように、平面形真円状に成型された容器本体２と、これとは別体に成型された平面形真円状の蓋体３との組み合わせからなるものとすることができ、該容器本体２は、緩衝機能に秀れた発泡樹脂成型品であって円形の外周縁に沿って一定幅の平面枠部２０を形成し、その平面枠部２０の内側であって平面形中心位置Ｃの周囲７２度置き毎に、横倒し姿勢とした林檎果実６，６，……合計５個夫々の全体を収容可能な寸法、形状に設定したＵ字断面状凹部２１，２１，……を形成するようにしてあり、また当該蓋体３は、透明樹脂成型品であってその外周縁に沿って該容器本体２の平面枠部２０に密接に接合可能な寸法、形状に設定した平面枠部３０を一体化した平滑円板形状か、平面枠部３０以外の中央がわを僅かに上向き膨出させた形状かの何れか一方の形状に設定し、施蓋した場合に密に接合される容器本体２の平面枠部２０と蓋体３の平面枠部３０との接合面壁間には、全周に亘って均衡配置されて互いに嵌合、離脱操作可能な複数個のボス穴とボスとの組み合わせからなる仮留め機構５を形成したものとしている。
【００２８】
そして、該蓋体３の施蓋状態の場合に該容器本体２の平面形中心位置Ｃに相当する中央から、各Ｕ字断面状凹部２１，２１，……に収容される果実６，６，……の、該平面形中心位置Ｃに向けられた萼窪６０，６０，……がわから少なくとも１／５から最大でも１／３の範囲まで達する範囲に相当する範囲には、それと同等の直径に設定された真円形状であり、その表面には、林檎の品種名や価格、生産者情報などを記載した情報開示部である印刷部分７を印刷、表示してなるものとする。
【００２９】
（実施例１の作用）
以上のとおりの構成からなるこの考案の包装容器１は、図１ないし図４中に示すように、この考案の果実包装方法に利用可能であり、以下ではその包装方法に従って該包装容器１の作用について示して行くこととする。
当該透明樹脂製の包装容器１は、製造直後の段階には、情報開示部となる粘着シール製のラベル７の貼着がなされておらず、図示していないが、容器本体２と蓋体３とをヒンジ部４を境に１８０度の角度に展開した状態で複数個を重ね合わせ、効率的に梱包、輸送可能な状態にして出荷されるものとしている。
【００３０】
このようにして準備した包装容器１を用いて園芸農家が林檎６の出荷作業を行う場合や、スーパーマーケットまたはデパートなどのバックヤードで林檎６のパック詰め作業を行うときには、１個の当該包装容器１の容器本体２を作業テーブル上に平置きして、図３（あるいは図４）中に示すように、夫々横倒し姿勢とした合計４個の林檎６，６，……を、各果実萼窪６０，６０，……がわが容器本体２平面形中心位置Ｃに向かう放射状配置となる状態に配列するようにして各半球状凹部２１，２１，……に収容した後、ヒンジ部４を折り曲げるようにして施蓋状とし、蓋体３の平面枠部３０を容器本体２の平面枠部２０に密接状接合すると共に、互いの仮留め機構５であるボスとボス穴とを弾性嵌合するようにして閉鎖した上、該蓋体３外側表面壁であって同容器本体２の平面形中心位置Ｃに対応する箇所に、収納済みの４個の林檎６，６，……の萼窪６０，６０，……がわから少なくとも１／５から最大でも１／３に及ぶ範囲に、情報開示部となる粘着シール製のラベル７を貼着したものとし、この作業を一人かまたは複数人による流れ作業かの何れかによって出荷または陳列に必要なパック数相当分について連続的に行うこととなる。
【００３１】
（実施例２の作用）
図５および図６中に示すこの考案の包装容器１を利用した果実包装方法は、その特別な構造によって以下のようなものとなる。
工場製造直後の発泡樹脂成形品からなる容器本体２と、透明樹脂成型品からなる蓋体３とは互いに別体となって、夫々が複数個ずつ重ね合わせられた状態に保管、輸送可能な状態に梱包されており、該蓋体３の表裏面の何れか一方の壁面であって当該容器本体２の平面形中心位置Ｃに対応する位置に、５箇所全てのＵ字断面状凹部２１，２１，……の該平面形中心位置Ｃ寄りとなる少なくとも１／５から最大でも１／３に達する範囲をカバーする情報開示部となる印刷部分７が印刷済みのものとしてある。
【００３２】
そして、林檎の出荷または陳列準備作業を行う場合には、１個の当該容器本体２を作業テーブル上に平置きして合計５個の林檎６，６，……の夫々の萼窪６０，６０，……がわが、平面形中心位置Ｃに向けた状態の放射状配置に配列するよう各Ｕ字断面状凹欠部２１，２１，……に収容した後、蓋体３の平面枠部３０が容器本体２の平面枠部２０に密接状となると共に、仮留め機構５の各ボスとボス穴とを弾性嵌合して施蓋し、円形状に印刷された当該印刷部分７が、収容された５個全ての林檎６，６，……の各萼窪６０，６０，……がわ所定範囲を隠蔽状とし得るものとする一連の作業を、出荷または陳列に必要なパック数相当分について適宜、連続的に行うこととなる。
【００３３】
（実施例１の効果）
以上のような構成からなる実施例１の包装容器１は、前記この考案の効果の項で記載の特徴に加え、図１中に示すよう当該情報開示部である粘着シール製のラベル７を花心相当部分、その周りに覗く合計４個の林檎６，６，……の萼窪６０，６０，……がわ所定範囲部分以外の果実６，６，……個々の部分を花弁が整列する花冠相当部分に見立てられるようにし、従前までの果実包装には例を見ないほど美観に秀れ、差別化された包装を実現可能として高い付加価値と店頭陳列効果とを得るものとなり、しかも、各林檎６，６，……収納後にラベル７を貼着するよう当該考案の果実包装方法を実施し、萼窪６０，６０，……がわの色付き範囲が個々の各林檎６，６，……毎に異なる場合にも、作業者がラベル７の貼着位置を僅かに調整するだけで色斑部分の隠蔽状態をより確実なものとすることができる上、当該包装容器１は、図１および図４中に示すように、各林檎６，６，……の蔕（軸）６１，６１，……を容器本体２と蓋体３との間に挟み込み、保持するよう包装し、個々の各林檎６，６，……が輸送中の振動などを受けた場合にも、各萼窪６０，６０，……がわが平面形中心位置Ｃに向いた包装直後の姿勢を、一段と確実に維持し続けられるようにしたものとすることができるという顕著な効果がもたらされる。
【００３４】
（実施例２の効果）
また、実施例２の包装容器１は、容器本体２を発泡樹脂成形品からなるものとしてあり、緩衝機能が格段に高められて輸送中や積み重ねによる果実の損傷をより確実に防止できるものとなり、しかも蓋体３の情報開示部を印刷部分７とする、この考案の果実包装方法によって包装作業中のラベル貼り作業を省略してパック詰めの作業工数を大幅に削減し得るものとし、包装果実の品種に応じて印刷部分７の異なる蓋体３を準備するだけで効率的な包装作業を実現化することができるようになる上、透明樹脂製の蓋体３からは、情報開示部である印刷部分７を花心相当部分に見立てると共に、その範囲から外がわとなって花弁が整列する花冠相当部分に見立てられるように配列される合計５個の林檎６，６，……の蔕６１，６１，……がわとなる夫々２／３以上の範囲は、消費者が確りと視認して果実の鮮度等の確認ができ、従前のように、果実品質には全く関係ない萼窪６０がわ付近の色斑に惑わされず、確かな品定め可能とすることができるだけではなく、５個の林檎６，６，……が放射状に整列され、恰も花心と花冠とからなる花のような商品外観を呈する美観に秀れた美しく包装を可能にするという大きな効果を奏すものとなる。
【００３５】
（結  び）
叙述の如く、この考案の包装容器、およびそれを利用した果実包装方法は、その新規な構成によって所期の目的を遍く達成可能とするものであり、しかも製造も容易で、低廉且つ安定収容可能なパック包装を実現化できると共に、従前からの果実包装技術に比較して大幅に果実商品の買い控えを解消して遥かに経済的なものとすることができる上、包装作業性を格段に改善し得るものとなることから、栄養を豊富に吸収し秀れた品質で収穫された果実が、特定部位の色斑という理由のみによって商品価値が評価されてしまい、本来の味覚を消費者に届けることができずに窮してきた園芸農家はもとよりのこと、青果物流通業界および包装業界、果実類の店頭陳列に新たな趣向を求めるスーパーマーケットやデパートから、新鮮で清潔なパッケージや本当に美味しい果実類を求める一般家庭においてまでも高い評価を得て、広範に渡って利用、普及していくものになると予想される。                                                          
【図面の簡単な説明】
【００３６】
図面は、この考案の包装容器、およびそれを利用した果実包装方法の技術的思想を具現化した代表的な幾つかの実施例を示すものである。
【図１】４個の林檎を収容した包装容器を示す平面図である。
【図２】図１中のＡ−Ａ線部分を断面化して示す縦断面図である。
【図３】開蓋した包装容器の図１中Ａ−Ａ線部分を示す縦断面図である。
【図４】情報開示部範囲を鎖線枠で示す平面図である。
【図５】５個の林檎を収容した包装容器を示す平面図である。
【図６】情報開示部範囲を鎖線枠で示す平面図である。
【符号の説明】
【００３７】
１      包装容器
２    容器本体
２０    同  平面枠部
２１    同  半球状凹部（Ｕ字断面状凹欠部）
Ｃ    同  平面形中心位置
３      蓋体
３０    同  平面枠部
３１    同  半球状凹部
４      ヒンジ部
５      仮留め機構
６      果実
６０    同  萼窪
６１    同  蔕（軸）
７      情報開示部（ラベル、印刷部分）                                                                          
【図１】
0003154229.tif 000003
【図２】
0003154229.tif 000004
【図３】
0003154229.tif 000005
【図４】
0003154229.tif 000006
【図５】
0003154229.tif 000007
【図６】
0003154229.tif 000008